(57)【要約】      （修正有）【課題】箸本来の食材を挟み持つという機能を十分に維持しつつ、簡易ナイフ機能をも備えることができる箸を提供する。【解決手段】箸本体２の箸先部分４を、三角形や四角形等の角数の少ない多角形状の断面に形成し、この多角形状断面となった箸先部分４の任意の領域Ａに、箸本体２の長手方向に沿って複数の切欠部１０を設け、この切欠部１０によって食材を切断できるようにする。前記切欠部１０は、前記多角形状断面の角部を含んで形成したことを特徴とする。【選択図】図１
0003170567.tif 000002
【実用新案登録請求の範囲】
【請求項１】
箸本体の少なくとも箸先部分を角数の少ない多角形状の断面に形成し、当該多角形状断面となった箸先部分の任意の領域に、前記箸本体の長手方向に沿って複数の切欠部を設けたことを特徴とする箸。
【請求項２】
前記切欠部は、前記多角形状断面の角部を含んで形成したことを特徴とする請求項１に記載の箸。
【請求項３】
前記切欠部は、当該切欠部の両側面のうち少なくとも一方の側面を、切欠部の深さ方向に向かって他方の側面に近づくテーパ状に形成したことを特徴とする請求項１または２に記載の箸。
【請求項４】
前記切欠部は、一対の箸本体のうちの片方のみに設けたことを特徴とする請求項１から３のいずれか１項に記載の箸。
【請求項５】
前記多角形状断面の箸先部分は、前記切欠部を形成した両面の成す角度が、他の角部の角度よりも小さく、かつ、鋭角を成して形成されていることを特徴とする請求項１から４のいずれか１項に記載の箸。
【考案の詳細な説明】
【技術分野】
【０００１】
本考案は、箸に関し、とりわけ、簡易ナイフ機能を有する箸に関する。
【背景技術】
【０００２】
一般に、一膳の箸は、棒状となった箸本体が２本（一対）セットとなって提供される。従来、このような箸にあって、箸本体の箸先部分、つまり、食材を挟み持つ部分にギザギザ部を設けて、このギザギザ部を簡易ナイフとして用いるようにしたものが提案されている（例えば、特許文献１参照）。
【先行技術文献】
【特許文献】
【０００３】
【特許文献１】特開２００４−１８０９１３号公報
【考案の概要】
【考案が解決しようとする課題】
【０００４】
しかしながら、かかる従来の箸の箸先部分に設けたギザギザ部は、箸本体の一側面から突出させたひれ状部、または、箸本体の箸先部分に形成した薄刃状部に形成されている。
【０００５】
このため、ギザギザ部が形成された箸本体を本来の箸として用いる場合に、突出したひれ状部が邪魔となり、また、薄肉形成した薄刃状部が障害となって、食材を挟み辛くなってしまうという不具合があった。
【０００６】
そこで、本考案は、かかる従来の不具合に鑑みて、箸本来の食材を挟み持つという機能を十分に維持しつつ、簡易ナイフ機能をも備えることができる箸を提供するものである。
【課題を解決するための手段】
【０００７】
上記課題を解決するために本考案の箸は、箸本体の少なくとも箸先部分を角数の少ない多角形状の断面に形成し、当該多角形状断面となった箸先部分の任意の領域に、前記箸本体の長手方向に沿って複数の切欠部を設けたことを特徴とする。
この場合、前記切欠部は、前記多角形状断面の角部を含んで形成しておくことが好ましい。
【０００８】
また、前記切欠部は、当該切欠部の両側面のうち少なくとも一方の側面が、切欠部の深さ方向に向かって他方の側面に近づくテーパ状に形成しておくことが好ましい。
更に、前記切欠部は、一対の箸本体のうちの片方のみに形成しておくことができる。
【０００９】
更にまた、前記多角形状断面の箸先部分は、前記切欠部を形成した両面の成す角度が、他の角部の角度よりも小さく、かつ、鋭角を成して形成しておくことが好ましい。
【考案の効果】
【００１０】
本考案によれば、箸本体の少なくとも箸先部分が角数の少ない多角形状の断面に形成されており、その多角形状断面となった箸先部分の任意の領域に、箸本体の長手方向に沿って複数の切欠部が設けられている。これにより、箸本体の箸先部分に設けた複数の切欠部によって簡易ナイフとしての機能を発揮することができる。また、このように簡易ナイフとなる部分は箸先部分に形成した切欠部であるため、その簡易ナイフとなる部分が箸本体の箸先部分から突出するのを防止できる。これにより、簡易ナイフ部分が支障となることなく、本来の箸として箸先部分で食材を挟み持つことができる。従って、箸本来の食材を挟み持つという機能を十分に維持しつつ、簡易ナイフとしての機能をも備えることができる。
【００１１】
また、前記切欠部は、前記多角形状断面の角部を含んで形成しておくことにより、角部が簡易ナイフの刃として機能するため、食材の切断をし易くすることができる。
【００１２】
更に、前記切欠部は、当該切欠部の両側面のうち少なくとも一方の側面が、切欠部の深さ方向に向かって他方の側面に近づくテーパ状に形成しておくことにより、食材の切断がし易くなり、かつ、切断した食材が切欠部に挟み込まれるのを抑制できる。
【００１３】
更にまた、前記切欠部は、一対の箸本体のうちの片方のみに形成しておくことにより、切欠部を設けた箸本体をナイフとして用いる場合に、他方の箸本体を専らフォークとして用いて食材が移動しないように押さえておくことができる。この場合、一方の箸本体のみに切欠部を形成しておけばよいので、両方の箸本体に切欠部を設ける場合に比較して安価な箸を提供できる。
【００１４】
また、前記多角形状断面の箸先部分は、前記切欠部を形成した両面の成す角度が、他の角部の角度よりも小さく、かつ、鋭角を成して形成しておくことにより、食材をより切断し易くできる。
【図面の簡単な説明】
【００１５】
【図１】図１は、本考案の一実施形態を示す箸の正面図である。
【図２】図２は、図１に示す箸の箸先部分を示し、（ａ）は箸先部分の一例の斜視図、（ｂ）は箸先部分の他例の斜視図である。
【図３】図３は、箸先部分の断面を示し、（ａ）は図２（ａ）中I−I線に沿った断面図、（ｂ）は図２中II−II線に沿った断面図である。
【図４】図４は、図１に示す箸の持ち手部分の断面を示し、（ａ）は持ち手部分の一例の断面図、（ｂ）は持ち手部分の他例の断面図である。
【図５】図５は、箸先部分の切欠部の形状を示し、（ａ）は切欠部の一例の断面図、（ｂ）は切欠部の他例の断面図である。
【図６】図６は、図１に示す箸伸しよう状態を示す説明図である。
【図７】図７は、本考案の他の実施形態を示す箸の正面図である。
【考案を実施するための形態】
【００１６】
以下、本考案の好適な実施形態について図面を参照しつつ説明する。
【００１７】
図１は、本考案にかかる箸１の一実施形態を示し、この箸１は、一般に用いられるものと同様に、棒状の箸本体２が一対（２本）設けられて一膳となっている。それぞれの箸本体２は持ち手部分３と箸先部分４とを有し、使用者が一対の箸本体２の持ち手部分３を持って箸先部分４を開閉することができる。これにより、その箸先部分４で食材を挟み持つことができるようになっている。
【００１８】
ここで、本実施形態では、図２に示すように、箸本体２の箸先部分４は、所定長さに亘って角数の少ない多角形状の断面に形成されている。ここで、角数の少ない多角形状とは、例えば、図２（ａ）および図３（ａ）に一例として示す三角形状や図２（ｂ）および図３（ｂ）に他例として示す四角形状等である。本実施形態では、図３（ａ）に示す三角形状は、頂角が最も小さくなる二等辺三角形となっており、また、図３（ｂ）に示す四角形状は、下底幅よりも高さが十分に大きくなる台形状となっている。
【００１９】
尚、本実施形態では、多角形状で角数が最も少ない三角形状、および、その次に角数が少ない四角形状の場合を示すが、後述する切欠部１０の形成によって簡易ナイフ機能を発揮できる限りにおいて、図示省略したが五角形状や六角形状でも良い。
【００２０】
このように箸先部分４を断面多角形状に形成した場合にも、持ち手部分３は通常の箸の断面形状としておくことが好ましく、例えば、図４（ａ）に示す円形の断面形状や同図（ｂ）に示す正方形の断面形状としておく。
【００２１】
そして、上述したように角数の少ない多角形状の断面に形成した箸先部分４の任意の領域Ａに、箸本体２の長手方向に沿って複数の切欠部１０を設けるようになっている。この場合、切欠部１０が設けられる領域Ａは、箸先部分４の先端４ａを含むことが好ましい。
【００２２】
また、切欠部１０は、図２および図３に示すように、多角形状断面の角部を含んで形成されるようになっている。即ち、図２（ａ）および図３（ａ）に一例として示す箸先部分４の断面が二等辺三角形状である場合は、頂点角部Ｃ１を含んで切欠部１０が形成される。また、図２（ｂ）および図３（ｂ）に他例として示す箸先部分４の断面が台形状である場合は、上底両側の角部Ｃ２、Ｃ３を含んで切欠部１０が形成されている。
【００２３】
このとき、多角形状断面の箸先部分４は、切欠部１０を形成した両面の成す角度を、他の角部の角度よりも小さく、かつ、鋭角を成して形成してある。
【００２４】
即ち、図３（ａ）に示す断面形状が二等辺三角形の場合は、切欠部１０を形成した両面４ｂ、４ｃの成す角度θ１は、他の角部Ｃ４、Ｃ５の角度θ２よりも小さく、かつ、鋭角に形成してある。また、図３（ｂ）に示す断面形状が台形状の場合は、切欠部１０を形成した両面４ｄ、４ｅの成す角度θ３は、他の角部Ｃ６、Ｃ７の角度θ４よりも小さく、かつ、鋭角に形成してある。
【００２５】
切欠部１０は、図５に示すように、切欠部１０の両側面１０ａ、１０ｂのうち少なくとも一方の側面１０ａを、切欠部１０の深さ方向に向かって他方の側面１０ｂに近づくテーパ状、つまり、Ｖ字状に形成してある。
【００２６】
即ち、一例として示す図５（ａ）の切欠部１０は、一方の側面１０ａが略垂直面として形成され、他方の側面１０ｂがテーパ面として形成された場合を示す。また、他例として示す図５（ｂ）の切欠部１０は、両側面１０ａ、１０ｂがテーパ面として形成された場合を示し、（ａ）および（ｂ）のいずれの切欠部１０形状であってもよい。
【００２７】
尚、本実施形態では、一方の側面１０ａが箸先部分４の先端４ａ側に配置される場合を示すが、その逆、つまり、持ち手部分３側に配置される場合であってもよい。また、切欠部１０は、Ｖ字状に限ることなく、Ｕ字状や半円弧状、またはその他の凹形状としても形成することもできる。
【００２８】
このような構造を持つ本実施形態の箸１は、箸先部分４に複数の切欠部１０が設けられていることにより、図６に示すように、その切欠部１０を食材Ｆに押し付けて箸本体２を長手方向に往復移動させることにより、食材Ｆの切断が可能となる。例えば、図示するように、食材Ｆを切断する箸本体２を右手で把持した場合、左手で把持した他方の箸本体２で食材Ｆを押さえ付けておくことにより、食材Ｆの移動を阻止しつつ切断することができる。この場合、切断する箸本体２はナイフの役目をし、押さえ付ける箸本体２はフォークの役目をすることになり、箸本体２に簡易ナイフ機能が備わることになる。勿論、一対の箸本体２は、通常の箸としても使用することができる。
【００２９】
ところで、このように一対の箸本体２の一方をナイフとして用い、他方をフォークとして用いる場合、フォークとして用いる箸本体２には必ずしも切欠部１０は必要とはしない。このため、図７に示すように、一対の箸本体２のうち片方のみに切欠部１０を設けておき、他方の箸本体２は切欠部１０が設けられない通常の箸としておいてもよい。
【００３０】
以上説明したように、本実施形態の箸１によれば、箸本体２の少なくとも箸先部分４を角数の少ない三角形状や四角形状の多角形状の断面に形成し、その箸先部分４の任意の領域に複数の切欠部１０を設けてある。これにより、箸本体２の箸先部分４に設けた複数の切欠部１０によって簡易ナイフとしての機能を発揮することができる。また、このように簡易ナイフとなる部分は、箸先部分４を切欠いた切欠部１０であるため、その簡易ナイフとなる部分が箸本体２の箸先部分４から突出するのが防止される。これにより、簡易ナイフ部分が支障となることなく、本来の箸として箸先部分４で食材Ｆを挟み持つことができる。従って、箸本来の食材Ｆを挟み持つという機能を十分に維持しつつ、簡易ナイフとしての機能をも備えることができる。
【００３１】
また、切欠部１０は、多角形状断面の角部Ｃ１またはＣ２、Ｃ３を含んで形成してあるので、角部Ｃ１およびＣ２、Ｃ３が簡易ナイフの刃として機能するため、食材Ｆの切断をし易くすることができる。
【００３２】
更に、切欠部１０は、切欠部１０の両側面１０ａ、１０ｂのうち少なくとも一方の側面１０ａを、切欠部１０の深さ方向に向かって他方の側面１０ｂに近づくテーパ状に形成してある。これにより、切欠部１０による食材Ｆの切断がし易くなり、かつ、切断した食材Ｆが切欠部１０に挟み込まれ難くできる。
【００３３】
更にまた、切欠部１０は、一対の箸本体２のうちの片方のみに設けておくことにより、切欠部１０を設けた箸本体２をナイフとして用いる場合に、他方の箸本体２をフォークとして用いて食材Ｆが移動しないように押さえておくことができる。これにより、切欠部１０を設ける箸本体２の本数が減るため、その分、切欠部１０を形成する加工費用が削減されて箸１のコストを下げることができる。
【００３４】
また、切欠部１０が設けられた多角形状断面の箸先部分４は、切欠部１０を形成した両面の成す角度θ１またはθ３を、他の角部Ｃ４、Ｃ５またはＣ６、Ｃ７の角度θ２またはθ４よりも小さく、かつ、鋭角を成して形成してある。これにより、切欠部１０の形成部分が食材Ｆに食い込み易くなるため、食材Ｆをより切断し易くできる。
【００３５】
ところで、本考案の箸は上記実施形態に例をとって説明したが、これに限ることなく本考案の要旨を逸脱しない範囲で各種の変更が可能である。
【００３６】
例えば、角部の少ない多角形状の断面として、三角形状や四角形状を例示したが、これに限ることなく５角形状や六角形状またはそれ以外の断面形状であっても、切欠部１０を設けることにより食材Ｆの切断が可能であれば本考案を適用することができる。
【００３７】
また、本実施形態では三角形の断面状として二等辺三角形を示したが、これに限ることなくその他の三角形状、例えば不等辺三角形であってもよい。また、四角形の断面状として台形を示したが、これに限ることなくその他の四角形状、例えば菱形や矩形であってもよい。
【産業上の利用可能性】
【００３８】
本考案は、食材を挟み持つ一対の箸本体からなる箸に利用することができる。
【符号の説明】
【００３９】
１  箸
２  箸本体
１０  切欠部
１０ａ  一方の側面
１０ｂ  他方の側面
Ａ  任意の領域
Ｃ１、Ｃ２、Ｃ３  角部
θ１、θ３  両面の成す角度
θ２、θ４  他の角度
【図１】
0003170567.tif 000003
【図２】
0003170567.tif 000004
【図３】
0003170567.tif 000005
【図４】
0003170567.tif 000006
【図５】
0003170567.tif 000007
【図６】
0003170567.tif 000008
【図７】
0003170567.tif 000009